(57)【要約】【課題】アクティブシャッターグラスにおいて、自動的に、アクティブシャッターグラスをパワーオン状態にする。【解決手段】画像表示装置１は、左目用画像と右目用画像の表示タイミングに同期した立体視同期信号、及び立体視動作を行っていることを示す立体視アクティブ信号を送信する信号送信部１２を備える。信号送信部１２は、立体視動作を行っているときに、立体視同期信号を送信する。また、信号送信部１２は、立体視動作を開始するときに、立体視アクティブ信号を送信する。アクティブシャッターグラス２は、画像表示装置１から送信される立体視同期信号、及び立体視アクティブ信号を受信する信号受信部２３と、アクティブシャッターグラス２をパワーオン状態とパワーオフ状態とに切り替える制御を行うマイコン２８とを備える。マイコン２８は、パワーオフ状態のときに、信号受信部２３により立体視アクティブ信号を受信すると、パワーオン状態にする。【選択図】図１
2012099881.tif 000002
【特許請求の範囲】
【請求項１】
画像を立体的に視せるために左目用画像と右目用画像を所定の表示タイミングで交互に表示する立体視動作を行う画像表示装置において、
前記左目用画像と前記右目用画像の表示タイミングに同期した立体視同期信号を送信する同期信号送信手段と、
前記立体視動作を行っていることを示す立体視アクティブ信号を送信するアクティブ信号送信手段とを備え、
前記同期信号送信手段は、前記立体視動作を行っているときに、前記立体視同期信号を送信すると共に、前記立体視動作を行っていないときに、前記立体視同期信号の送信を停止し、
前記アクティブ信号送信手段は、前記立体視動作を開始するときに、前記立体視アクティブ信号を送信する、
ことを特徴とする画像表示装置。
【請求項２】
左目側グラス及び右目側グラスを備え、画像表示装置で表示される画像が立体的に視えるようにするためのアクティブシャッターグラスにおいて、
前記左目側グラス及び前記右目側グラスを光透過状態と光非透過状態とに駆動するグラス駆動回路と、
前記画像表示装置から送信される立体視同期信号を受信する同期信号受信手段と、
前記画像表示装置から送信される立体視アクティブ信号を受信するアクティブ信号受信手段と、
本アクティブシャッターグラスの動作状態を、前記グラス駆動回路に電力を供給しているパワーオン状態と、前記グラス駆動回路に電力を供給していないパワーオフ状態とに切り替える制御を行う制御手段とを備え、
前記グラス駆動回路は、電力の供給を受けて動作して、前記同期信号受信手段により受信した前記立体視同期信号に同期して前記左目側グラス及び前記右目側グラスを光透過状態と光非透過状態とに駆動し、
前記制御手段は、本アクティブシャッターグラスの動作状態が前記パワーオフ状態のときに、前記アクティブ信号受信手段により前記立体視アクティブ信号を受信すると、本アクティブシャッターグラスの動作状態を前記パワーオン状態にする、
ことを特徴とするアクティブシャッターグラス。
【請求項３】
左目側グラス及び右目側グラスを備え、画像表示装置で表示される画像が立体的に視えるようにするためのアクティブシャッターグラスにおいて、
前記左目側グラス及び前記右目側グラスを光透過状態と光非透過状態とに駆動するグラス駆動回路と、
前記画像表示装置から送信される立体視同期信号を受信する同期信号受信手段と、
本アクティブシャッターグラスの動作状態を、前記グラス駆動回路に電力を供給しているパワーオン状態と、前記グラス駆動回路に電力を供給していないパワーオフ状態とに切り替える制御を行う制御手段とを備え、
前記グラス駆動回路は、電力の供給を受けて動作して、前記同期信号受信手段により受信した前記立体視同期信号に同期して前記左目側グラス及び前記右目側グラスを光透過状態と光非透過状態とに駆動し、
前記制御手段は、本アクティブシャッターグラスの動作状態が前記パワーオフ状態のときに、前記同期信号受信手段により前記立体視同期信号を受信すると、本アクティブシャッターグラスの動作状態を前記パワーオン状態にする、
ことを特徴とするアクティブシャッターグラス。
【請求項４】
前記制御手段は、本アクティブシャッターグラスの動作状態が前記パワーオン状態のときに、前記同期信号受信手段により前記立体視同期信号を受信しなくなると、本アクティブシャッターグラスの動作状態を前記パワーオフ状態にする、
ことを特徴とする請求項２又は請求項３に記載のアクティブシャッターグラス。
【発明の詳細な説明】
【技術分野】
【０００１】
本発明は、画像を立体的に視せるために左目用画像と右目用画像を所定の表示タイミングで交互に表示する立体視動作を行う画像表示装置、及び画像表示装置で表示される画像が立体的に視えるようにするためのアクティブシャッターグラスに関するものである。
【背景技術】
【０００２】
従来から、画像表示装置において、画像を立体的に視せるために左目用画像と右目用画像を所定の表示タイミングで交互に表示する立体視動作を行うものがある。この立体視動作により表示される画像は、アクティブシャッターグラスを用いることで、立体的に視えるようになっている。アクティブシャッターグラスは、左目側グラス及び右目側グラスが光透過状態と光非透過状態とに駆動されるようになっており、このように駆動される左目側グラス及び右目側グラスを介して、立体視動作により表示される画像を視ることにより、立体視動作により表示される画像が立体的に視えるようになっている。
【０００３】
従来の画像表示装置は、立体視動作を行っているときに、左目用画像と右目用画像の表示タイミングに同期した立体視同期信号を送信するようになっている。そして、従来のアクティブシャッターグラスは、画像表示装置から送信される立体視同期信号を受信して、その立体視同期信号に同期して（すなわち、画像表示装置に表示される左目用画像と右目用画像の表示タイミングに同期して）、左目側グラス及び右目側グラスを光透過状態と光非透過状態とに駆動するようになっている。また、従来のアクティブシャッターグラスは、ユーザが操作スイッチを操作してパワーオン状態にすることにより、左目側グラス及び右目側グラスが光透過状態と光非透過状態とに駆動され、ユーザが操作スイッチを操作してパワーオフ状態にすることにより、左目側グラス及び右目側グラスの駆動が停止されるようになっている。
【０００４】
一方、電源スイッチがオンされた後において、立体映像表示期間の遠隔制御信号を受信していないときに、左目側グラス及び右目側グラスに駆動電圧を印加して、左目側グラス及び右目側グラスを開放保持することにより、通常映像を見ることができるようにしたアクティブシャッターグラスが知られている（例えば特許文献１参照）。また、電池からスイッチを通して電力を供給し、赤外線パルスが所定時間（例えば２．５分）以内に受信されなければ、オフ・モードに切り替わるようにしたアクティブシャッターグラスが知られている（例えば特許文献２参照）。また、電源投入スイッチが操作されて電源が投入されたときに、液晶シャッターを一定期間遮断した後に開放することにより、使用者に電源の投入を知らしめるようにしたアクティブシャッターグラスが知られている（例えば特許文献３参照）。また、シャッタ電源用スイッチのオン、オフに応じて、自動的に、画像表示装置において立体映像又は２Ｄ映像を選択させるようにしたアクティブシャッターグラスが知られている（例えば特許文献４参照）。
【先行技術文献】
【特許文献】
【０００５】
【特許文献１】特開昭６２−２３１５７８号公報
【特許文献２】特開平６−４６４６０号公報
【特許文献３】特開平８−２７８４６８号公報
【特許文献４】特開平１１−７５２２３号公報
【発明の概要】
【発明が解決しようとする課題】
【０００６】
ところで、上述した従来のアクティブシャッターグラスにおいては、ユーザが手動で操作スイッチを操作してパワーオン状態及びパワーオフ状態にするようになっているため、使い勝手が悪い。なお、上述した特許文献１乃至特許文献４に開示の内容を適用したとしても、上記の問題を解決することはできない。
【０００７】
本発明は、上記課題を解決するためになされたものであり、自動的に、アクティブシャッターグラスをパワーオン状態にすることができる画像表示装置及びアクティブシャッターグラスを提供することを目的とする。
【課題を解決するための手段】
【０００８】
上記目的を達成するために請求項１の発明は、画像を立体的に視せるために左目用画像と右目用画像を所定の表示タイミングで交互に表示する立体視動作を行う画像表示装置において、左目用画像と右目用画像の表示タイミングに同期した立体視同期信号を送信する同期信号送信手段と、立体視動作を行っていることを示す立体視アクティブ信号を送信するアクティブ信号送信手段とを備え、同期信号送信手段は、立体視動作を行っているときに、立体視同期信号を送信すると共に、立体視動作を行っていないときに、立体視同期信号の送信を停止し、アクティブ信号送信手段は、立体視動作を開始するときに、立体視アクティブ信号を送信するものである。
【０００９】
請求項２の発明は、左目側グラス及び右目側グラスを備え、画像表示装置で表示される画像が立体的に視えるようにするためのアクティブシャッターグラスにおいて、左目側グラス及び右目側グラスを光透過状態と光非透過状態とに駆動するグラス駆動回路と、画像表示装置から送信される立体視同期信号を受信する同期信号受信手段と、画像表示装置から送信される立体視アクティブ信号を受信するアクティブ信号受信手段と、本アクティブシャッターグラスの動作状態を、グラス駆動回路に電力を供給しているパワーオン状態と、グラス駆動回路に電力を供給していないパワーオフ状態とに切り替える制御を行う制御手段とを備え、グラス駆動回路は、電力の供給を受けて動作して、同期信号受信手段により受信した立体視同期信号に同期して左目側グラス及び右目側グラスを光透過状態と光非透過状態とに駆動し、制御手段は、本アクティブシャッターグラスの動作状態がパワーオフ状態のときに、アクティブ信号受信手段により立体視アクティブ信号を受信すると、本アクティブシャッターグラスの動作状態をパワーオン状態にするものである。
【００１０】
請求項３の発明は、左目側グラス及び右目側グラスを備え、画像表示装置で表示される画像が立体的に視えるようにするためのアクティブシャッターグラスにおいて、左目側グラス及び右目側グラスを光透過状態と光非透過状態とに駆動するグラス駆動回路と、画像表示装置から送信される立体視同期信号を受信する同期信号受信手段と、本アクティブシャッターグラスの動作状態を、グラス駆動回路に電力を供給しているパワーオン状態と、グラス駆動回路に電力を供給していないパワーオフ状態とに切り替える制御を行う制御手段とを備え、グラス駆動回路は、電力の供給を受けて動作して、同期信号受信手段により受信した立体視同期信号に同期して左目側グラス及び右目側グラスを光透過状態と光非透過状態とに駆動し、制御手段は、本アクティブシャッターグラスの動作状態がパワーオフ状態のときに、同期信号受信手段により立体視同期信号を受信すると、本アクティブシャッターグラスの動作状態をパワーオン状態にするものである。
【００１１】
請求項４の発明は、請求項２又は請求項３に記載のアクティブシャッターグラスにおいて、制御手段は、本アクティブシャッターグラスの動作状態がパワーオン状態のときに、同期信号受信手段により立体視同期信号を受信しなくなると、本アクティブシャッターグラスの動作状態をパワーオフ状態にするものである。
【発明の効果】
【００１２】
請求項１の発明によれば、本装置が立体視動作を開始するときに、本装置から立体視動作を行っていることを示す立体視アクティブ信号が送信される。従って、本装置で表示される画像が立体的に視えるようにするためのアクティブシャッターグラスにおいて、立体視アクティブ信号を受信するとパワーオン状態になる構成を採用することにより、本装置が立体視動作を開始するときに、自動的に、アクティブシャッターグラスをパワーオン状態にすることができる。これにより、ユーザは、アクティブシャッターグラスをパワーオン状態にするための操作を行う必要がなく、使い勝手が良い。また、同期信号送信手段がアクティブ信号送信手段を兼ねる構成を採用することにより、コストの低減を図ることができる。また、アクティブシャッターグラスにおいて、立体視アクティブ信号を受信するとパワーオン状態になる構成を採用することにより、アクティブシャッターグラスをパワーオン状態にするための操作スイッチが必要なくなり、コストの低減を図ることができる。
【００１３】
請求項２の発明によれば、画像表示装置から送信される（画像表示装置が立体視動作を開始するときに送信される）立体視アクティブ信号を本アクティブシャッターグラスが受信すると、本アクティブシャッターグラスがパワーオン状態になる。従って、画像表示装置が立体視動作を開始するときに、自動的に、本アクティブシャッターグラスをパワーオン状態にすることができる。これにより、ユーザは、アクティブシャッターグラスをパワーオン状態にするための操作を行う必要がなく、使い勝手が良い。また、同期信号受信手段がアクティブ信号受信手段を兼ねる構成を採用することにより、コストの低減を図ることができる。また、アクティブシャッターグラスをパワーオン状態にするための操作スイッチが必要ないため、コストの低減を図ることができる。
【００１４】
請求項３の発明によれば、画像表示装置から送信される立体視同期信号（画像表示装置が立体視動作を行っているときに送信される）を本アクティブシャッターグラスが受信すると、本アクティブシャッターグラスがパワーオン状態になる。従って、画像表示装置が立体視動作を行っているときに、自動的に、本アクティブシャッターグラスをパワーオン状態にすることができる。これにより、ユーザは、アクティブシャッターグラスをパワーオン状態にするための操作を行う必要がなく、使い勝手が良い。また、アクティブシャッターグラスをパワーオン状態にするための操作スイッチが必要ないため、コストの低減を図ることができる。
【００１５】
請求項４の発明によれば、画像表示装置から送信される（画像表示装置が立体視動作を行っているときに送信される）立体視同期信号を本アクティブシャッターグラスが受信しなくなると、本アクティブシャッターグラスがパワーオフ状態になる。従って、画像表示装置が立体視動作を終了したときに、自動的に、本アクティブシャッターグラスをパワーオフ状態にすることができる。これにより、ユーザは、アクティブシャッターグラスをパワーオフ状態にするための操作を行う必要がなく、使い勝手が良い。また、アクティブシャッターグラスをパワーオフ状態にするための操作スイッチが必要ないため、コストの低減を図ることができる。
【図面の簡単な説明】
【００１６】
【図１】本発明の一実施形態に係る画像表示装置及びアクティブシャッターグラスの概略構成を示す外観図。
【図２】同画像表示装置及びアクティブシャッターグラスの電気的ブロック構成図。
【発明を実施するための形態】
【００１７】
以下、本発明を具体化した実施形態による画像表示装置及びアクティブシャッターグラスについて図面を参照して説明する。図１は、本実施形態による画像表示装置及びアクティブシャッターグラスの構成を示す。画像表示装置１は、画像を表示する装置であり、アクティブシャッターグラス２は、画像表示装置１で表示される画像が立体的に視えるようにするための装置である。
【００１８】
画像表示装置１は、画像を表示するためのディスプレイ１１と、アクティブシャッターグラス２に赤外線によって各種信号を送信する信号送信部１２等を備える。画像表示装置１は、テレビジョン放送局から配信されているテレビジョン信号を受信し、その受信したテレビジョン信号による画像をディスプレイ１１に表示するようになっている。また、画像表示装置１は、ＤＶＤやＢＤ（ブルーレイディスク）等の光ディスクに記録されている記録データを読取り、その読取った記録データによる画像をディスプレイ１１に表示するようになっている。
【００１９】
この画像表示装置１は、立体視動作を行うようになっている。立体視動作とは、ディスプレイ１１に表示する画像を立体的に視せるために、ディスプレイ１１に左目用画像と右目用画像を所定の表示タイミングで交互に表示する動作である。画像表示装置１は、テレビジョン放送局から配信されているテレビジョン信号による画像をディスプレイ１１に表示するとき、そのテレビジョン信号が立体視用のものであるときに、立体視動作を行う。また、画像表示装置１は、光ディスクに記録されている記録データによる画像をディスプレイ１１に表示するとき、その記録データが立体視用のものであるときに、立体視動作を行う。立体視動作では、画像表示装置１は、テレビジョン放送局から配信されるテレビジョン信号又は光ディスクに記録されている記録データから、左目用画像を表示するための画像信号及び右目用画像を表示するための画像信号を生成し、それら生成した画像信号による左目用画像と右目用画像を所定の表示タイミングで交互にディスプレイ１１に表示するようになっている。
【００２０】
また、画像表示装置１は、立体視動作を行っているときに、信号送信部１２から立体視同期信号を送信するようになっている。立体視同期信号は、左目用画像と右目用画像の表示タイミングに同期した信号である。また、画像表示装置１は、立体視動作を開始するときに、信号送信部１２から立体視アクティブ信号を送信すると共に、立体視動作を行っているとき、定期的に、信号送信部１２から立体視アクティブ信号を送信するようになっている。立体視アクティブ信号は、立体視動作を行っていることを示す信号である。
【００２１】
アクティブシャッターグラス２は、左目側グラス２１と、右目側グラス２２と、画像表示装置１から赤外線によって送信される各種信号を受信する信号受信部２３等を備える。アクティブシャッターグラス２は、左目側グラス２１がユーザの左目の前方に位置すると共に右目側グラス２２がユーザの右目の前方に位置するように、ユーザに装着されて使用される。
【００２２】
アクティブシャッターグラス２は、画像表示装置１の信号送信部１２から送信される立体視アクティブ信号及び立体視同期信号を、信号受信部２３により受信するようになっている。そして、アクティブシャッターグラス２は、信号受信部２３により受信した立体視同期信号に同期して（すなわち、画像表示装置１のディスプレイ１１に表示される左目用画像と右目用画像の表示タイミングに同期して）、左目側グラス２１及び右目側グラス２２を光透過状態と光非透過状態とに駆動するようになっている。また、アクティブシャッターグラス２は、信号受信部２３による立体視アクティブ信号及び立体視同期信号の受信状態に応じて、自動的に、左目側グラス２１及び右目側グラス２２を光透過状態と光非透過状態とに駆動する動作を開始、停止するようになっている。
【００２３】
図２は、画像表示装置１及びアクティブシャッターグラス２の電気的ブロック構成を示す。
【００２４】
画像表示装置１は、上述の構成に加え、画像処理部１３と、シャッター同期回路１４と、画像表示装置２の動作を制御するマイコン１５等を備える。
【００２５】
ディスプレイ１１は、マイコン１５による制御のもと、画像処理部１３により生成された画像信号が供給されることにより、その画像信号による画像を表示する。
【００２６】
画像処理部１３は、マイコン１５による制御のもと、テレビジョン放送局から配信されるテレビジョン信号（不図示のチューナにより受信したテレビジョン信号）又は光ディスクに記録されている記録データ（不図示の光ディスクドライブにより光ディスクから読取った記録データ）から、ディスプレイ１１で画像を表示するための画像信号を生成し、その生成した画像信号をディスプレイ１１に供給する。これにより、テレビジョン放送局から配信されるテレビジョン信号による画像又は光ディスクに記録されている記録データによる画像がディスプレイ１１に表示される。
【００２７】
このとき、画像処理部１３は、入力されたテレビジョン信号又は記録データが立体視用のものである場合には、そのテレビジョン信号又は記録データから、左目用画像を表示するための画像信号及び右目用画像を表示するための画像信号を生成し、それら生成した画像信号をディスプレイ１１に供給する。これにより、左目用画像と右目用画像が所定の表示タイミングで交互にディスプレイ１１に表示されて、立体視動作が行われる。
【００２８】
また、画像処理部１３は、入力されたテレビジョン信号又は記録データが立体視用のものである場合には、３Ｄ視聴ＯＮ信号をマイコン１５に入力する。すなわち、画像処理部１３は、立体視動作を開始するとき及び立体視動作を行っている間、３Ｄ視聴ＯＮ信号をマイコン１５に入力する。マイコン１５は、３Ｄ視聴ＯＮ信号の入力を受けて、立体視動作を行っていることを示す立体視アクティブ信号を出力する。マイコン１５から出力された立体視アクティブ信号は、信号送信部１２に与えられる。
【００２９】
シャッター同期回路１４は、立体視動作における左目用画像と右目用画像の表示タイミングに同期した立体視同期信号（ＳＹＮＣ  ＰＵＬＳＥ）を生成する回路である。シャッター同期回路１４は、マイコン１５による制御のもと、立体視同期信号を生成する。シャッター同期回路１４は、マイコン１５による制御のもと、立体視同期信号を生成する状態と、立体視同期信号の生成を停止する状態とに切り替えられる。すなわち、シャッター同期回路１４は、マイコン１５からＯＮ信号が与えられることにより動作して、立体視同期信号を生成し、マイコン１５からＯＦＦ信号が与えられることにより動作を停止して、立体視同期信号の生成を停止する。シャッター同期回路１４により生成された立体視同期信号は、信号送信部１２に与えられる。
【００３０】
信号送信部１２は、シャッター同期回路１４から立体視同期信号が与えられることにより、その立体視同期信号を赤外線によって送信する。また、信号送信部１２は、マイコン１５から立体視アクティブ信号が与えられることにより、その立体視アクティブ信号を赤外線によって送信する。信号送信部１２によって、同期信号送信手段及びアクティブ信号送信手段が構成されている。
【００３１】
マイコン１５は、画像処理部１３から３Ｄ視聴ＯＮ信号が入力されると（すなわち立体視動作を開始すると）、シャッター同期回路１４にＯＮ信号を与えて、シャッター同期回路１４による立体視同期信号の生成を開始させる。そして、マイコン１５は、３Ｄ視聴ＯＮ信号が入力されている間（すなわち立体視動作を行っている間）、シャッター同期回路１４にＯＮ信号を与え続けて、シャッター同期回路１４による立体視同期信号の生成を継続させる。また、マイコン１５は、３Ｄ視聴ＯＮ信号が入力されなくなると（すなわち立体視動作を終えると）、シャッター同期回路１４にＯＦＦ信号を与えて、シャッター同期回路１４による立体視同期信号の生成を停止させる。
【００３２】
これにより、立体視動作を行っている間、シャッター同期回路１４により立体視同期信号が生成され、その生成された立体視同期信号が信号送信部１２に与えられて、信号送信部１２から立体視同期信号が送信される。すなわち、信号送信部１２は、マイコン１５による制御のもと、立体視動作を行っているときに、立体視同期信号を送信し、立体視動作を行っていないときに、立体視同期信号の送信を停止する。
【００３３】
また、マイコン１５は、画像処理部１３からの３Ｄ視聴ＯＮ信号の入力が開始されたときに、立体視アクティブ信号を出力する。また、マイコン１５は、３Ｄ視聴ＯＮ信号が入力されている間、定期的に（例えば３秒毎に）、立体視アクティブ信号を出力する。なお、立体視アクティブ信号を出力するときには、一時的に、シャッター同期回路１４からの立体視同期信号の出力を停止させる。
【００３４】
これにより、立体視動作を開始したときに、マイコン１５から出力された立体視アクティブ信号が信号送信部１２に与えられて、信号送信部１２から立体視アクティブ信号が送信される。また、立体視動作を行っているとき、定期的に、マイコン１５から出力された立体視アクティブ信号が信号送信部１２に与えられて、信号送信部１２から立体視アクティブ信号が送信される。すなわち、信号送信部１２は、マイコン１５による制御のもと、立体視動作を開始するときに、立体視アクティブ信号を送信し、また、立体視動作を行っているとき、定期的に（例えば３秒毎に）、立体視アクティブ信号を送信する。
【００３５】
アクティブシャッターグラス２は、上述の構成に加え、グラス駆動回路２４と、パワーオンレギュレータ２５と、スタンバイ電源回路２６と、電池２７と、アクティブシャッターグラス２の動作を制御するマイコン２８等を備える。
【００３６】
左目側グラス２１及び右目側グラス２２は、各々、グラス駆動回路２４によって、光を透過する光透過状態と光を透過しない光非透過状態とに駆動される。
【００３７】
信号受信部２３は、マイコン２８による制御のもと、信号の受信を待ち受ける受信待受状態に駆動され、画像表示装置１の信号送信部１２から赤外線によって送信される立体視同期信号及び立体視アクティブ信号を受信する。信号受信部２３によって、同期信号受信手段及びアクティブ信号受信手段が構成されている。
【００３８】
グラス駆動回路２４は、左目側グラス２１及び右目側グラス２２を光透過状態と光非透過状態とに駆動する回路である。グラス駆動回路２４は、電力の供給を受けて動作して、左目側グラス２１及び右目側グラス２２を光透過状態と光非透過状態とに駆動する。すなわち、グラス駆動回路２４は、電力が供給されることにより動作して、左目側グラス２１及び右目側グラス２２を光透過状態と光非透過状態とに駆動し、電力が供給されなくなることにより動作を停止して、左目側グラス２１及び右目側グラス２２の駆動を停止する。
【００３９】
グラス駆動回路２４は、信号受信部２３により受信した立体視同期信号に同期して、左目側グラス２１及び右目側グラス２２を光透過状態と光非透過状態とに駆動する。すなわち、グラス駆動回路２４は、左目側グラス２１が光透過状態で右目側グラス２２が光非透過状態である状態と、左目側グラス２１が光非透過状態で右目側グラス２２が光透過状態である状態とを、信号受信部２３により受信した立体視同期信号に同期して交互に繰り返すように、左目側グラス２１及び右目側グラス２２を駆動する。
【００４０】
パワーオンレギュレータ２５は、アクティブシャッターグラス２のパワーオン状態のときの動作に必要なパワーオン時動作電圧を生成する回路である。パワーオン状態とは、グラス駆動回路２４に電力を供給している状態であって、グラス駆動回路２４によって左目側グラス２１及び右目側グラス２２を光透過状態と光非透過状態とに駆動している状態である。
【００４１】
パワーオンレギュレータ２５は、マイコン２８による制御のもと、電池２７からの電力供給を受けて、パワーオン時動作電圧を生成する。パワーオンレギュレータ２５は、マイコン２８による制御のもと、パワーオン時動作電圧を生成する状態と、パワーオン時動作電圧の生成を停止する状態とに切り替えられる。すなわち、パワーオンレギュレータ２５は、マイコン２８からＰ−ＯＮ信号が与えられるときに動作して、パワーオン時動作電圧を生成し、マイコン２８からＰ−ＯＮ信号が与えられていないときに動作を停止して、パワーオン時動作電圧の生成を停止する。パワーオンレギュレータ２５により生成されたパワーオン時動作電圧は、グラス駆動回路２４及びマイコン２８に供給される。
【００４２】
スタンバイ電源回路２６は、アクティブシャッターグラス２のパワーオフ状態のときの動作に必要なパワーオフ時動作電圧を生成する回路である。パワーオフ状態とは、いわゆるスタンバイ状態であり、グラス駆動回路２４に電力を供給していない状態であって、グラス駆動回路２４によって左目側グラス２１及び右目側グラス２２を光透過状態と光非透過状態とに駆動していない状態である。
【００４３】
スタンバイ電源回路２６は、電池２７からの電力供給を受けて、パワーオフ時動作電圧を生成する。スタンバイ電源回路２６は、常に（パワーオフ状態のときも）、パワーオフ時動作電圧を生成している。スタンバイ電源回路２６により生成されたパワーオフ時動作電圧は、マイコン２８に供給される。
【００４４】
マイコン２８は、アクティブシャッターグラス２の動作状態を、グラス駆動回路２４に電力を供給しているパワーオン状態と、グラス駆動回路２４に電力を供給していないパワーオフ状態とに切り替える制御を行う。
【００４５】
すなわち、マイコン２８は、アクティブシャッターグラス２の動作状態をパワーオン状態にするとき、パワーオンレギュレータ２５にＰ−ＯＮ信号を与える。これにより、パワーオンレギュレータ２５によるパワーオン時動作電圧の生成が行われ、パワーオンレギュレータ２５からグラス駆動回路２４及びマイコン２８に電力が供給される。また、マイコン２８は、アクティブシャッターグラス２の動作状態をパワーオフ状態にするとき、パワーオンレギュレータ２５にＰ−ＯＮ信号を与えなくする。これにより、パワーオンレギュレータ２５によるパワーオン時動作電圧の生成が行われなくなり、パワーオンレギュレータ２５からグラス駆動回路２４及びマイコン２８に電力が供給されなくなる。
【００４６】
マイコン２８は、このように、パワーオンレギュレータ２５にＰ−ＯＮ信号を与える状態と与えない状態とに切り替えることにより、アクティブシャッターグラス２の動作状態をパワーオン状態とパワーオフ状態とに切り替える。なお、アクティブシャッターグラス２の動作状態がパワーオフ状態のときにも、マイコン２８には、スタンバイ電源回路２６から電力が供給されている。また、アクティブシャッターグラス２の動作状態がパワーオフ状態のとき、マイコン２８は、信号受信部２３を間欠駆動している。マイコン２８によって、制御手段が構成されている。
【００４７】
マイコン２８は、信号受信部２３により立体視同期信号を受信していないときには、アクティブシャッターグラス２の動作状態をパワーオフ状態にしている。従って、このとき、パワーオンレギュレータ２５によるパワーオン時動作電圧の生成が停止されており、パワーオンレギュレータ２５からマイコン２８及びグラス駆動回路２４への電力の供給が停止されている。そして、マイコン２８は、スタンバイ電源回路２６から供給される電力によって動作している。また、グラス駆動回路２４は、電力が供給されずに動作を停止しており、左目側グラス２１及び右目側グラス２２の駆動を停止している。
【００４８】
そして、マイコン２８は、アクティブシャッターグラス２の動作状態がパワーオフ状態のときに、信号受信部２３により立体視アクティブ信号を受信すると、パワーオンレギュレータ２５にＰ−ＯＮ信号を与えて、アクティブシャッターグラス２の動作状態をパワーオン状態にする。これにより、パワーオンレギュレータ２５によるパワーオン時動作電圧の生成が開始され、パワーオンレギュレータ２５からグラス駆動回路２４及びマイコン２８への電力の供給が開始される。そして、マイコン２８は、パワーオンレギュレータ２５から供給される電力によって動作する状態となる。また、グラス駆動回路２４は、パワーオンレギュレータ２５から供給される電力によって動作を開始して、その後に信号受信部２３により受信する立体視同期信号に同期して、左目側グラス２１及び右目側グラス２２を光透過状態と光非透過状態とに駆動する。
【００４９】
また、マイコン２８は、アクティブシャッターグラス２の動作状態がパワーオン状態のときに、信号受信部２３により立体視同期信号を受信しなくなると（例えば、立体視同期信号を受信しない状態が１０秒間続くと）、パワーオンレギュレータ２５にＰ−ＯＮ信号を与えなくして、アクティブシャッターグラス２の動作状態をパワーオフ状態にする。これにより、パワーオンレギュレータ２５によるパワーオン時動作電圧の生成が停止され、パワーオンレギュレータ２５からマイコン２８及びグラス駆動回路２４への電力の供給が停止される。そして、マイコン２８は、スタンバイ電源回路２６から供給される電力によって動作する状態となる。また、グラス駆動回路２４は、動作を停止して、左目側グラス２１及び右目側グラス２２の駆動を停止する。
【００５０】
このような構成の画像表示装置１及びアクティブシャッターグラス２によれば、画像表示装置１が立体視動作を開始するときに、画像表示装置１から立体視アクティブ信号が送信され、そして、その立体視アクティブ信号をアクティブシャッターグラス２が受信すると、アクティブシャッターグラス２がパワーオン状態になる。従って、画像表示装置１が立体視動作を開始するときに、自動的に、アクティブシャッターグラス２をパワーオン状態にすることができる。これにより、ユーザは、アクティブシャッターグラス２をパワーオン状態にするための操作を行う必要がなく、使い勝手が良い。
【００５１】
しかも、画像表示装置１が立体視動作を行っているときにも、画像表示装置１から定期的に（例えば３秒毎に）立体視アクティブ信号が送信される。従って、立体視動作を開始するときに画像表示装置１から送信された立体視アクティブ信号が、アクティブシャッターグラス２に受信されなかったとしても、立体視動作を行っているときに画像表示装置１から定期的に送信される立体視アクティブ信号が、アクティブシャッターグラス２に受信されると、アクティブシャッターグラス２がパワーオン状態になる。これにより、より確実に、画像表示装置１が立体視動作を行っているときに、自動的に、アクティブシャッターグラス２をパワーオン状態にすることができる。
【００５２】
また、画像表示装置１から送信される立体視同期信号をアクティブシャッターグラス２が受信しなくなると、アクティブシャッターグラス２がパワーオフ状態になる。従って、画像表示装置が立体視動作を終了したときに、自動的に、アクティブシャッターグラス２をパワーオフ状態にすることができる。これにより、ユーザは、アクティブシャッターグラス２をパワーオフ状態にするための操作を行う必要がなく、使い勝手が良い。
【００５３】
また、画像表示装置１の信号送信手段１２は、立体視同期信号及び立体視アクティブ信号を送信するようになっている。すなわち、画像表示装置１において、立体視同期信号を送信する手段が立体視アクティブ信号を送信する手段を兼ねている。これにより、コストの低減を図ることができる。また、アクティブシャッターグラス２の信号受信部２３は、立体視同期信号及び立体視アクティブ信号を受信するようになっている。すなわち、アクティブシャッターグラス２において、立体視同期信号を受信する手段が立体視アクティブ信号を受信する手段を兼ねている。これにより、コストの低減を図ることができる。また、アクティブシャッターグラス２をパワーオン状態にするための操作スイッチ、及びパワーオフ状態にするための操作スイッチが必要ない。これにより、コストの低減を図ることができる。また、アクティブシャッターグラス２の動作状態がパワーオフ状態のとき、信号受信部２３が間欠駆動される。これにより、消費電力を低減することができる。
【００５４】
なお、本発明は、上記実施形態の構成に限られず、種々の変形が可能である。例えば、画像表示装置は、ユーザによる（画像表示装置のリモコンの操作による）立体視動作開始指示を受けて、立体視動作を開始し、ユーザによる立体視動作終了指示を受けて、立体視動作を終了するようになっていてもよい。また、アクティブシャッターグラスのマイコンは、アクティブシャッターグラスの動作状態がパワーオフ状態のときに、信号受信部により立体視同期信号を受信すると、アクティブシャッターグラスの動作状態をパワーオン状態にするようにしてもよい。このようにすれば、画像表示装置から送信される立体視同期信号（画像表示装置が立体視動作を行っているときに送信される）をアクティブシャッターグラスが受信すると、アクティブシャッターグラスがパワーオン状態になる。従って、画像表示装置が立体視動作を行っているときに、自動的に、アクティブシャッターグラスをパワーオン状態にすることができる。
【符号の説明】
【００５５】
１    画像表示装置
２    アクティブシャッターグラス
１１    ディスプレイ
１２    信号送信部（同期信号送信手段、アクティブ信号送信手段）
１３    画像処理部
１４    シャッター同期回路
１５    マイコン
２１    左目側グラス
２２    右目側グラス
２３    信号受信部（同期信号受信手段、アクティブ信号受信手段）
２４    グラス駆動回路
２５    パワーオンレギュレータ
２６    スタンバイ電源回路
２７    電池
２８    マイコン（制御手段）
【図１】
2012099881.tif 000003
【図２】
2012099881.tif 000004